(57)【要約】【課題】２つのバッテリを装着可能な動力工具において、バッテリ装着部に関する改良技術を提供する。【解決手段】動力工具であるハンマドリル１００は、２つのバッテリ装着部１６０Ａ，１６０Ｂを有している。２つのバッテリ１６０Ａ，１６０Ｂは所定方向に延在する直線上に並んで設けられている。一方のバッテリ装着部１６０Ａに装着されるバッテリは、当該直線上をバッテリ装着部１６０Ｂに近づく方向にバッテリ装着部１６０Ａのガイドレール１６１に対して摺動することで、バッテリ装着部１６０Ａに装着される。また、他方のバッテリ装着部１６０Ｂに装着されるバッテリは、当該直線上をバッテリ装着部１６０Ａに近づく方向にバッテリ装着部１６０Ｂのガイドレール１６１に対して摺動することで、バッテリ装着部１６０Ｂに装着される。【選択図】  図２
2014148012.tif 000002
【特許請求の範囲】
【請求項１】
着脱可能に取り付けられた先端工具を当該先端工具の駆動軸に対して駆動させる動力工具であって、
前記先端工具を駆動するためのモータと、
前記モータを収容する工具本体と、
前記モータに電流を供給するためのバッテリが着脱可能に装着されるバッテリ装着部とを有し、前記バッテリ装着部は２つ形成されており、前記バッテリ装着部に装着された前記バッテリから前記モータに対して電流を供給可能に構成されており、
２つの前記バッテリ装着部は、所定方向に延在する直線上に並んで設けられており、
前記バッテリ装着部はバッテリ係合部を有し、前記バッテリが前記バッテリ係合部に係合することによって前記バッテリを保持するように構成されており、
２つの前記バッテリ装着部のうちの一方の前記バッテリ装着部には、他方の前記バッテリ装着部に近づく方向に、前記バッテリが前記バッテリ係合部に対して摺動することで装着されるように構成されており、
２つの前記バッテリ装着部のうちの他方の前記バッテリ装着部には、一方の前記バッテリ装着部に近づく方向に、前記バッテリが前記バッテリ係合部に対して摺動することで装着されるように構成されていることを特徴とする動力工具。
【請求項２】
請求項１に記載の動力工具であって、
前記所定方向は、前記駆動軸と平行な方向として規定されていることを特徴とする動力工具。
【請求項３】
請求項１または２に記載の動力工具であって、
前記工具本体に連接するハンドルを有し、
前記ハンドルは、前記駆動軸に交差するハンドル延在方向に延在するように設けられており、前記ハンドル延在方向に関する少なくとも一方の端部側が前記工具本体に連接するように構成されており、
２つの前記バッテリ装着部は、前記ハンドル延在方向に関する前記ハンドルの他方の端部側に設けられていることを特徴とする動力工具。
【請求項４】
請求項１または２に記載の動力工具であって、
前記工具本体に連接するハンドルを有し、
前記ハンドルは、前記駆動軸に交差するハンドル延在方向に延在するように設けられており、前記ハンドル延在方向に関する少なくとも一方の端部側が前記工具本体に連接するように構成されており、
２つの前記バッテリ装着部は、前記工具本体の、前記ハンドル延在方向に関する前記一方の端部側に設けられていることを特徴とする動力工具。
【請求項５】
請求項１〜４のいずれか１項に記載の動力工具であって、
前記モータは、当該モータの回転軸と前記駆動軸が交差するように設けられていることを特徴とする動力工具。
【請求項６】
請求項１〜４のいずれか１項に記載の動力工具であって、
前記モータは、当該モータの回転軸と前記駆動軸が平行に設けられていることを特徴とする動力工具。
【請求項７】
請求項３または４に記載の動力工具であって、
前記モータは、当該モータの回転軸と前記駆動軸が平行に設けられており、
前記ハンドルは、作業者に把持されるグリップ部を有し、
前記グリップ部は、前記駆動軸上に設けられていることを特徴とする動力工具。
【請求項８】
請求項３または４に記載の動力工具であって、
前記モータは、当該モータの回転軸と前記駆動軸が平行に設けられており、
前記ハンドルは、一端側が前記工具本体に連接するグリップ部と、当該グリップ部の他端側と前記工具本体を連結する補強部材を有することを特徴とする動力工具。
【発明の詳細な説明】
【技術分野】
【０００１】
本発明は、被加工材に所定の加工作業を行う動力工具に関する。
【背景技術】
【０００２】
特開２０１１−１６１６０２号公報には、２つのバッテリパックを装着可能な電動工具が開示されている。当該電動工具は、２つのバッテリパックを装着するためのバッテリ装着部は、バッテリの装着方向に対して直交する方向に並んで配置されている。
【先行技術文献】
【特許文献】
【０００３】
【特許文献１】特開２０１１−１６１６０２号公報
【発明の概要】
【発明が解決しようとする課題】
【０００４】
しかしながら、特開２０１１−１６１６０２号公報に記載された電動工具は、２つのバッテリ装着部をバッテリの装着方向に対して直交する方向に並べて配置しているため、当該直交する方向に関して、電動工具の大きさが大きくなる。すなわち、バッテリ装着部に関してさらなる改良の余地がある。そこで、本発明は、上記に鑑みてなされたものであり、２つのバッテリを装着可能な動力工具において、バッテリ装着部に関する改良技術を提供することを目的とする。
【課題を解決するための手段】
【０００５】
上記課題を達成するため、本発明に係る動力工具の好ましい形態によれば、着脱可能に取り付けられた先端工具を当該先端工具の駆動軸に対して駆動させる動力工具が構成される。当該動力工具は、先端工具を駆動するためのモータと、モータを収容する工具本体と、モータに電流を供給するためのバッテリが着脱可能に装着されるバッテリ装着部と、を有する。バッテリ装着部は２つ形成されており、バッテリ装着部に装着されたバッテリからモータに対して電流を供給可能に構成されている。２つのバッテリ装着部は、所定方向に延在する直線上に並んで設けられている。また、バッテリ装着部はバッテリ係合部を有し、バッテリがバッテリ係合部に係合することによって当該バッテリを保持するように構成されている。そして、２つのバッテリ装着部のうちの一方のバッテリ装着部には、他方のバッテリ装着部に近づく方向に、バッテリがバッテリ係合部に対して摺動することで装着されるように構成されている。一方、２つのバッテリ装着部のうちの他方のバッテリ装着部には、一方のバッテリ装着部に近づく方向に、バッテリがバッテリ係合部に対して摺動することで装着されるように構成されている。換言すると、一方のバッテリ装着部と他方のバッテリ装着部には、互いに近接する方向にバッテリが摺動されてそれぞれのバッテリが装着される。
【０００６】
本発明によれば、２つのバッテリ装着部には、互いに近接する方向にバッテリが摺動されて装着されるため、２つのバッテリを互いに異なる方向から装着することができる。とりわけ、２つのバッテリを同時にバッテリ装着部に装着する場合には、一方のバッテリを装着するための力と他方のバッテリを装着するための力を相殺することができる。
【０００７】
本発明に係る動力工具の更なる形態によれば、所定方向は、駆動軸と平行な方向として規定されている。すなわち、２つのバッテリ装着部は、先端工具の駆動軸が延在する駆動軸延在方向に並んで設けられている。
【０００８】
本形態によれば、バッテリ装着部が駆動軸延在方向に並んでおり、バッテリが当該駆動軸延在方向に摺動してバッテリ装着部に装着されるため、装着された２つのバッテリが駆動軸延在方向に並んで配置される。したがって、駆動軸延在方向に交差する方向における動力工具の大きさを小さくすることができる。
【０００９】
本発明に係る動力工具の更なる形態によれば、工具本体に連接するハンドルを有している。そして、ハンドルは、駆動軸に交差するハンドル延在方向に延在するように設けられており、ハンドル延在方向に関する少なくとも一方の端部側が工具本体に連接するように構成されている。そして、２つのバッテリ装着部は、ハンドル延在方向に関するハンドルの他方の端部側に設けられている。
【００１０】
本形態によれば、バッテリ装着部をハンドル延在方向に関するハンドルの端部に設けることができる。これにより、ハンドルの一方の端部には工具本体が連接し、ハンドルの他方の端部にはバッテリが装着されるため、作業者がハンドルを把持したときの、動力工具のバランスをとることができる。
【００１１】
本発明に係る動力工具の更なる形態によれば、工具本体に連接するハンドルを有している。そして、ハンドルは、駆動軸に交差するハンドル延在方向に延在するように設けられており、ハンドル延在方向に関する少なくとも一方の端部側が工具本体に連接するように構成されている。そして、２つのバッテリ装着部は、工具本体の、ハンドル延在方向に関する一方の端部側に設けられている。
【００１２】
本形態によれば、バッテリ装着部を工具本体のハンドル延在方向に関するハンドルの一方の端部側に設けることができる。これにより、ハンドル延在方向に関する、工具本体のハンドルとは反対側のスペースを有効に利用することができる。
【００１３】
本発明に係る動力工具の更なる形態によれば、モータは、当該モータの回転軸と先端工具の駆動軸が交差するように設けられている。すなわち、モータの回転軸と先端工具の駆動軸が交差する形態の動力工具が構成される。
【００１４】
本発明に係る動力工具の更なる形態によれば、モータは、当該モータの回転軸と先端工具の駆動軸が平行に設けられている。すなわち、モータの回転軸と先端工具の駆動軸が平行である形態の動力工具が構成される。
【００１５】
本発明に係る動力工具の更なる形態によれば、モータは、当該モータの回転軸と先端工具の駆動軸が平行に設けられている。さらに、ハンドルは、作業者に把持されるグリップ部を有し、グリップ部は駆動軸上に設けられている。
【００１６】
本形態によれば、被加工材に対して加工を行う際に、作業者が駆動軸上に設けられたグリップ部に力を付与することができる。これにより、加工作業の際にグリップ部に付与された作業者の力が被加工材まで合理的に伝達される。
【００１７】
本発明に係る動力工具の更なる形態によれば、モータは、当該モータの回転軸と先端工具の駆動軸が平行に設けられている。さらに、ハンドルは、一端側が工具本体に連接するグリップ部と、当該グリップ部の他端側と工具本体を連結する補強部材を有する。
【００１８】
本形態によれば、補強部材によってグリップ部を補強することができる。したがって、加工作業の際にグリップ部に付与された作業者の力が被加工材まで合理的に伝達される。
【発明の効果】
【００１９】
本発明によれば、２つのバッテリを装着可能な動力工具において、バッテリ装着部に関する改良技術を提供することができる。
【図面の簡単な説明】
【００２０】
【図１】第１実施形態に係るハンマドリルの全体構成を示す模式図である。
【図２】図１のハンマドリルにバッテリパックが装着された状態を示す模式図である。
【図３】バッテリパックを示す斜視図である。
【図４】バッテリパックを示す平面図である。
【図５】図３のＣ矢視図である。
【図６】図３のＤ矢視図である。
【図７】第２実施形態に係るハンマドリルの全体構成及び当該ハンマドリルにバッテリパックが装着された状態を示す模式図である。
【図８】第３実施形態に係るハンマドリルの全体構成及び当該ハンマドリルにバッテリパックが装着された状態を示す模式図である。
【図９】第４実施形態に係るハンマドリルの全体構成及び当該ハンマドリルにバッテリパックが装着された状態を示す模式図である。
【図１０】第５実施形態に係るハンマドリルの全体構成及び当該ハンマドリルにバッテリパックが装着された状態を示す模式図である。
【発明を実施するための最良の形態】
【００２１】
（第１実施形態）
以下、本発明の第１実施形態につき、図１〜図６を参照しつつ詳細に説明する。本発明の実施形態は、動力工具の一例としてバッテリ式ハンマドリルを用いて説明する。図１に示すように、ハンマドリル１００は、ハンマビット１１９を長軸方向に直線動作及び長軸方向回りに回転動作させて、被加工材に対して穴明けやハツリ等の加工を行う打撃工具である。このハンマビット１１９が、本発明における「先端工具」に対応する実施構成例である。
【００２２】
ハンマドリル１００は、概括的に見て、ハンマドリル１００の外郭を形成する本体部１０１を主体として構成される。本体部１０１の先端領域には、ハンマビット１１９が筒状のツールホルダ１５９を介して着脱自在に取付けられる。ハンマビット１１９は、その長軸方向への相対的な往復動が可能に、かつその周方向への相対的な回動が規制された状態でツールホルダ１５９に保持される。
【００２３】
本体部１０１は、モータハウジング１０３およびギアハウジング１０５を主体として構成されている。モータハウジング１０３は、電動モータ１１０を収容している。ギアハウジング１０５は、運動変換機構１２０、打撃要素１４０及び動力伝達機構１５０を収容している。ハンマビット１１９の長軸方向に関して本体部１０１のハンマビット１１９と反対側には、作業者が握るハンドグリップ１０９が連接されている。なお、本実施形態では、便宜上、ハンマビット１１９の長軸方向、すなわち本体部１０１の長軸方向に関して、ハンマビット１１９側を、「前側」ないし「前方側」として規定し、ハンドグリップ１０９側を、「後側」ないし「後方側」として規定する。また、図１の上方を、「上側」ないし「上方側」と規定し、図１の下方を、「下側」ないし「下方側」と規定する。
【００２４】
すなわち、本体部１０１は、ハンマビット１１９の長軸方向に関して、前方にギアハウジング１０５が配置され、後方にモータハウジング１０３が配置されている。さらに、モータハウジング１０３の後方にハンドグリップ１０９が配置されている。この本体部１０１が、本発明における「工具本体」に対応する実施構成例である。また、ハンドグリップ１０９が、本発明における「ハンドル」に対応する実施構成例である。
【００２５】
電動モータ１１０は、回転軸がハンマビット１１９の長軸方向と平行になるように配置されている。この電動モータ１１０が、本発明における「モータ」に対応する実施構成例である。
【００２６】
電動モータ１１０の回転出力は、運動変換機構１２０によって直線動作に適宜変換された上で打撃要素１４０に伝達され、当該打撃要素１４０を介してハンマビット１１９に対して、当該ハンマビット１１９の長軸方向（図１の左右方向）への衝撃力を発生させる。また、電動モータ１１０の回転出力は、動力伝達機構１５０によって適宜減速された上でハンマビット１１９に伝達され、当該ハンマビット１１９が周方向に回転動作される。すなわち、ハンマビット１１９の長軸方向に一致する当該ハンマビット１１９の駆動軸が構成されている。したがって、ハンマビット１１９の長軸方向が、駆動軸が延在する駆動軸延在方向として規定される。なお、電動モータ１１０は、ハンドグリップ１０９に配置されたトリガの引き操作によって通電駆動される。運動変換機構１２０、打撃要素１４０および動力伝達機構１５０の詳細な構成については、便宜上説明を省略する。
【００２７】
ハンドグリップ１０９は、グリップ部１０９Ａとサポート部材１０７を主体として構成されている。グリップ部１０９Ａは、ハンマビット１１９の長軸方向に交差する図１の上下方向（ハンドル延在方向とも称す）に延在するように配置されている。グリップ部１０９Ａの上端はモータハウジング１０３に連接し、グリップ部１０９Ａの下端はサポート部材１０７に連接している。また、サポート部材１０７の上端は、モータハウジング１０３に連接している。これにより、ハンドグリップ１０９において、サポート部１０７がグリップ部１０９Ａを補強している。このサポート部材１０７が、本発明における「補強部材」に対応する実施構成例である。
【００２８】
ハンドグリップ１０９の下端部には、バッテリを装着するための装着部１６０が形成されている。装着部１６０には、２つのバッテリ装着部１６０Ａ，１６０Ｂにより構成されている。２個のバッテリ装着部１６０Ａ，１６０Ｂのそれぞれに、電動モータ１１０に駆動用の電流を供給するためのバッテリパック１７０Ａ，１７０Ｂが着脱自在に装着されるように構成されている。このバッテリ装着部１６０Ａ，１６０Ｂが、本発明における「バッテリ装着部」に対応する実施構成例である。また、バッテリパック１７０Ａ，１７０Ｂが、本発明における「バッテリ」に対応する実施構成例である。
【００２９】
図１に示すように、バッテリ装着部１６０Ａ，１６０Ｂには、それぞれバッテリ１７０Ａ，１７０Ｂと係合可能なガイドレール１６１と、バッテリパック１７０Ａ，１７０Ｂのフック１７５が係止可能な凹状の係止部（図示省略）と、バッテリパック１７０Ａ，１７０Ｂのターミナル１７９が電気的に接続されるターミナル（図示省略）が設けられている。当該ガイドレール１６１は、ハンマビット１１９の駆動軸に平行な方向に延在している。すなわち、バッテリ装着部１６０Ａのガイドレール１６１とバッテリ装着部１６０Ｂのガイドレール１６１は、ハンマビット１１９の駆動軸に平行な同一直線上に延在するように設けられている。これにより、バッテリパック１７０Ａは、図２における矢印１Ａの方向に摺動してバッテリ装着部１６０Ａに装着されるように構成され、バッテリパック１７０Ｂは、図２における矢印１Ｂの方向に摺動してバッテリ装着部１６０Ｂに装着されるように構成されている。すなわち、バッテリパック１７０Ａ，１７０Ｂの装着方向である矢印１Ａおよび矢印１Ｂの方向は、ハンマビット１１９の駆動軸が延在する駆動軸延在方向に平行な方向である。このガイドレール１６１が、本発明における「バッテリ係合部」に対応する実施構成例である。
【００３０】
図３〜図６は、バッテリパック１７０Ａ，１７０Ｂの詳細を示している。図３に示すように、バッテリパック１７０Ａ，１７０Ｂは、概略的には略直方形のバッテリケース１７１と、バッテリケース１７１内に収容される複数の電池セル（便宜上図示を省略する）とを主体として構成される。バッテリパック１７０Ａ，１７０Ｂは、各バッテリ装着部１６０Ａ，１６０Ｂの下面に沿ってスライドすることによってバッテリ装着部１６０Ａ，１６０Ｂに着脱自在に装着される。このバッテリパック１７０Ａ，１７０Ｂは同じ形状であり、いずれのバッテリ装着部１６０Ａ，１６０Ｂにも装着可能である。
【００３１】
図３に示すように、バッテリケース１７１の上面側には、バッテリ１７０Ａ，１７０Ｂの長手方向に沿って直線状に延びる一対の装着ガイド１７３が設けられている。この装着ガイド１７３は、バッテリ装着部１６０Ａ，１６０Ｂのガイドレール１６１と係合するように構成されている。
【００３２】
また、図３〜図６に示すように、バッテリケース１７１の上面中央部には、バッテリ１７０Ａ，１７０Ｂをバッテリ装着部１６０Ａ，１６０Ｂに対してロックするためのフック１７５とロックを解除するための押しボタン１７７が設けられている。フック１７５は、バッテリケース１７１の上面から突出するようにバネ（便宜上図示を省略する）によって付勢されている。また、押しボタン１７７は、バッテリケース１７１の装着方向後側に配置されており、押しボタン１７７が押されたときに、フック１７５がバッテリケース１７１の上面から引っ込む方向へ移動するように、フック１７５と機械的に連結されている。
【００３３】
図２に示すように、バッテリ１７０Ａ，１７０Ｂがバッテリ装着部１６０Ａ，１６０Ｂに装着されると、フック１７５がバッテリ装着部１６０Ａ，１６０Ｂの係止部と係合して、バッテリ１７０Ａ，１７０Ｂがバッテリ装着部１６０Ａ，１６０Ｂに対して固定される。このとき、バッテリ１７０Ａ，１７０Ｂのターミナル１７９がバッテリ装着部１６０Ａ，１６０Ｂのターミナルと電気的に接続され、ハンマドリル１００に対して電流の供給が可能となる。バッテリ装着部１６０Ａ，１６０Ｂに装着されたバッテリパック１７０Ａ，１７０Ｂは、それぞれのバッテリパック１７０Ａ，１７０Ｂの挿入方向における前端面が互いに対向するように配置される。
【００３４】
第１実施形態によれば、それぞれのバッテリ装着部１６０Ａ，１６０Ｂにバッテリパック１７０Ａ，１７０Ｂが着脱可能に装着されるため、ハンマドリル１００が、例えば３６Ｖ仕様の場合であれば、１８Ｖのバッテリパック１７０Ａ，１７０Ｂがそれぞれ装着されて、電気的に直列に接続される。１８Ｖのバッテリパックは、３６Ｖのバッテリパックに比べて軽いため、作業者は、バッテリパック１７０Ａ，１７０Ｂの着脱作業を簡単に行うことが可能となる。なお、ハンマドリル１００が、例えば１８Ｖ仕様の場合であれば、２つのバッテリパック１７０Ａ、１７０Ｂは電気的に並列に接続されるように構成されていてもよい。さらに、ハンマドリル１００が３６Ｖと１８Ｖのどちらの電圧でも駆動可能である場合には、バッテリパック１７０Ａ，１７０Ｂの接続態様を直列と並列との間で切り替えるように構成されていてもよい。この場合には、作業者によってバッテリパック１７０Ａ，１７０Ｂの接続態様を切り替え可能な切替スイッチを設けることが好ましい。
【００３５】
また、第１実施形態によれば、バッテリパック１７０Ａは、バッテリ装着部１６０Ｂに近づく方向（図２の１Ａ方向）に向かって移動することで、バッテリ装着部１６０Ａに装着される。一方、バッテリパック１７０Ｂは、バッテリ装着部１６０Ａに近づく方向（図２の１Ｂ方向）に向かって移動することで、バッテリ装着部１６０Ｂに装着される。したがって、２つのバッテリパック１７０Ａ，１７０Ｂを互いに異なる方向から装着することができる。とりわけ、２つのバッテリパック１７０Ａ，１７０Ｂを同時にバッテリ装着部１６０Ａ、１６０Ｂに装着する場合には、バッテリパック１７０Ａを装着するための力とバッテリパック１６０Ｂを装着するための力を相殺することができる。
【００３６】
また、一般にバッテリパック１７０Ａ，１７０Ｂは、一方に長い略直方形に形成される。第１実施形態によれば、ハンマビット１１９の長軸方向にバッテリ装着部１６０Ａ，１６０Ｂが並んで配置されており、バッテリパック１７０Ａ，１７０Ｂは、ハンマビット１１９の長軸方向に摺動することで、バッテリパック１７０Ａ，１７０Ｂの長手方向がハンマビット１１９の長軸方向に一致してバッテリ装着部１６０Ａ，１６０Ｂにそれぞれ装着される。したがって、２つのバッテリパックを装着可能なハンマドリル１００において、当該ハンマドリル１００の左右方向（ハンマビット１１９の長軸方向に交差する方向）の長さを短くすることができる。
【００３７】
また、第１実施形態によれば、バッテリパック１７０Ａ，１７０Ｂの装着ガイド１７３をバッテリ装着部１６０Ａ，１６０Ｂのガイドレール１６１に沿って摺動させることで、バッテリパック１７０Ａ，１７０Ｂをバッテリ装着部１６０Ａ，１６０Ｂに装着する装着作業を容易に行うことができる。
【００３８】
また、第１実施形態によれば、ハンドグリップ１０９の上端部はモータハウジング１０３に連接されており、ハンドグリップ１０９の下端部にはバッテリ装着部１６０Ａ，１６０Ｂが設けられているため、作業者がサイドハンドル１０９を把持したときの、ハンマドリル１００のバランスをとることができる。
【００３９】
（第２実施形態）
次に、第２実施形態につき、図７を参照しつつ説明する。第２実施形態におけるハンマドリル１００は、第１実施形態のハンマドリル１００とは、バッテリ装着部１６０Ａ，１６０Ｂの配置場所が異なる。バッテリ装着部１６０Ａ，１６０Ｂ以外の構成については、第１実施形態のハンマドリル１００と同様の構成であり、同じ符号を付して説明を省略する。
【００４０】
第２実施形態においては、図７に示すように、ハンドグリップ１０９が延在する方向における本体部１０１の上部（図７の上方）にバッテリ装着部１６０Ａ，１６０Ｂが配置されている。バッテリパック１７０Ａは、図７における矢印２Ａの方向に摺動してバッテリ装着部１６０Ａに装着されるように構成されている。一方、バッテリパック１７０Ｂは、図７における矢印２Ｂの方向に摺動してバッテリ装着部１６０Ｂに装着されるように構成されている。矢印２Ａおよび矢印２Ｂの方向は、ハンマビット１１９の駆動軸が延在する駆動軸延在方向に平行な方向である。
【００４１】
第２実施形態によれば、バッテリ装着部１６０Ａ，１６０Ｂをハンドグリップ１０９が延在する方向に関してハンドグリップ１０９が本体部１０１に連接する側に設けることができる。これにより、本体部１０１上部のスペースを有効に利用することができる。
【００４２】
（第３実施形態）
次に、第３実施形態につき、図８を参照しつつ説明する。第３実施形態におけるハンマドリル１００は、第１実施形態のハンマドリル１００に対してサポート部材１０７が設けられていない構成である。サポート部材１０７以外の構成については、第１実施形態のハンマドリル１００と同様の構成であり、同じ符号を付して説明を省略する。
【００４３】
第３実施形態においては、図８に示すように、バッテリパック１７０Ａは、矢印３Ａの方向に摺動してバッテリ装着部１６０Ａに装着されるように構成されている。一方、バッテリパック１７０Ｂは、矢印３Ｂの方向に摺動してバッテリ装着部１６０Ｂに装着されるように構成されている。矢印３Ａおよび矢印３Ｂの方向は、ハンマビット１１９の駆動軸が延在する駆動軸延在方向に平行な方向である。
【００４４】
（第４実施形態）
次に、第４実施形態につき、図９を参照しつつ説明する。第４実施形態におけるハンマドリル１００は、第１実施形態のハンマドリル１００とは、ハンドグリップ１０９の本体部１０１に対する連接場所が異なる。ハンドグリップ１０９の連接場所以外の構成については、第１実施形態のハンマドリル１００と同様の構成であり、同じ符号を付して説明を省略する。
【００４５】
第４実施形態においては、図９に示すように、バッテリパック１７０Ａは、矢印４Ａの方向に摺動してバッテリ装着部１６０Ａに装着されるように構成されている。一方、バッテリパック１７０Ｂは、矢印４Ｂの方向に摺動してバッテリ装着部１６０Ｂに装着されるように構成されている。矢印４Ａおよび矢印４Ｂの方向は、ハンマビット１１９の駆動軸が延在する駆動軸延在方向に平行な方向である。
【００４６】
ハンドグリップ１０９のグリップ部１０９Ａは、モータハウジング１０３の後方（図９の右端）において、モータハウジング１０３の上部側に連接している。さらに、グリップ部１０９Ａは、ハンマビット１１９の長軸方向に交差する図９の上下方向（ハンドル延在方向とも称す）に延在するように配置されている。これにより、グリップ部１０９Ａがハンマビット１１９の駆動軸線上に配置される。したがって、被加工材に対して加工を行う際に、作業者が駆動軸上に設けられたグリップ部に力を付与することができる。その結果、加工作業の際にグリップ部１０９Ａに付与された作業者の力が被加工材まで合理的に伝達される。このグリップ部１０９Ａが、本発明における「グリップ部」に対応する実施構成例である。
【００４７】
（第５実施形態）
次に、第５実施形態につき、図１０を参照しつつ説明する。第５実施形態におけるハンマドリル１００は、第１実施形態のハンマドリル１００とは、モータハウジング１０３の形状および電動モータ１１０の配置方向が異なる。モータハウジング１０３の形状および電動モータ１１０の配置方向以外の構成については、第１実施形態のハンマドリル１００と同様の構成であり、同じ符号を付して説明を省略する。
【００４８】
図１０に示すように、電動モータ１１０の回転軸とハンマビット１１９の駆動軸が交差するように電動モータ１１０が配置されている。したがって、モータハウジング１０３は、ギアハウジング１０５から図１０の下方に延在するように構成されている。このように、電動モータ１１０の回転軸とハンマビット１１９の駆動軸が交差するハンマドリル１００においても、２つのバッテリ装着部１６０Ａ，１６０Ｂを設けることができる。これにより、ハンマドリル１００に２つのバッテリ１７０Ａ，１７０Ｂを装着することができる。なお、図１０においては、電動モータ１１０の回転軸とハンマビット１１９の駆動軸が直交するように電動モータ１１０が配置されているが、電動モータ１１０の回転軸とハンマビット１１９の駆動軸に対して傾斜状に交差するように電動モータ１１０が配置されていてもよい。
【００４９】
第５実施形態においては、図１０に示すように、バッテリパック１７０Ａは、矢印５Ａの方向に摺動してバッテリ装着部１６０Ａに装着されるように構成されている。一方、バッテリパック１７０Ｂは、矢印５Ｂの方向に摺動してバッテリ装着部１６０Ｂに装着されるように構成されている。矢印５Ａおよび矢印５Ｂの方向は、ハンマビット１１９の駆動軸が延在する駆動軸延在方向に平行な方向である。
【００５０】
なお、以上の第２実施形態から第５実施形態においても、第１実施形態と同様の効果を奏する。
【００５１】
以上においては、バッテリ装着部１６０Ａ，１６０Ｂは、ハンマビット１１９の長軸方向に並んで配置されていたが、これには限られない。例えば、バッテリ装着部は、ハンマビット１１９の長軸方向（先端工具の駆動軸が延在する方向）に交差する方向に並んで配置されていてもよい。このような構成は、バッテリ装着部のガイドレールに対してバッテリパックをその短手方向に摺動させて装着させる構成において有用である。
【００５２】
また、以上においては、２つのバッテリ装着部１６０Ａ，１６０Ｂが設けられていたが、バッテリ装着部の数は３つ以上であってもよい。この場合には、３つ以上のバッテリ装着部のうち２つのバッテリ装着部が同一直線上に並んで設けられていればよい。
【００５３】
また、以上においては、動力工具の一例として、ハンマビット１１９が打撃動作と回転動作を行うハンマドリル１００として説明したが、これには限られない。例えば、打撃工具としてハンマビット１１９が打撃動作のみを行うハンマに本発明を適用することも可能である。また、ハンマビット１１９が回転動作のみを行うドリルに本発明を適用することも可能である。その他にも、電動ドライバ、電動レンチ、電動グラインダ、電動レシプロソー、電動ジグソーに本発明を適用することも可能である。
【００５４】
上記発明の趣旨に鑑み、本発明に係る動力工具は、下記の態様が構成可能である。
（態様）
「着脱可能に取り付けられた先端工具を当該先端工具の駆動軸に対して駆動させる動力工具であって、
前記先端工具を駆動するためのモータと、
前記モータを収容する工具本体と、
前記モータに電流を供給するためのバッテリが着脱可能に装着されるバッテリ装着部とを有し、前記バッテリ装着部は２つ形成されており、前記バッテリ装着部に装着された前記バッテリから前記モータに対して電流を供給可能に構成されており、
２つの前記バッテリ装着部は、所定方向に延在する直線上に並んで設けられており、
前記バッテリ装着部はバッテリ係合部を有し、前記バッテリが前記バッテリ係合部に係合することによって前記バッテリを保持するように構成されており、
２つの前記バッテリ装着部のうちの一方の前記バッテリ装着部には、他方の前記バッテリ装着部に近づく方向に、前記バッテリが前記バッテリ係合部に対して摺動することで装着されるように構成されており、
２つの前記バッテリ装着部のうちの他方の前記バッテリ装着部には、一方の前記バッテリ装着部に近づく方向に、前記バッテリが前記バッテリ係合部に対して摺動することで装着されるように構成されており、これにより一方の前記バッテリ装着部に装着された前記バッテリの挿入方向における前側の面と他方の前記バッテリ装着部に装着された前記バッテリの挿入方向における前側の面が互いに対向して配置されるように構成されていることを特徴とする動力工具。」
【００５５】
（本実施形態の各構成要素と本発明の各構成要素の対応関係）
本実施形態の各構成要素と本発明の各構成要素の対応関係を以下の通り示す。なお、本実施形態は、本発明を実施するための形態の一例を示すものであり、本発明は、本実施形態の構成に限定されるものではない。
本体部１０１が、本発明の「工具本体」に対応する構成の一例である。
ハンマビット１１９が、本発明の「工具ビット」に対応する構成の一例である。
電動モータ１１０が、本発明の「モータ」に対応する構成の一例である。
バッテリ装着部１６０Ａ，１６０Ｂが、本発明の「バッテリ装着部」に対応する構成の一例である。
サポート部材１０７が、本発明の「補強部材」に対応する構成の一例である。
ハンドグリップ１０９が、本発明の「ハンドル」に対応する構成の一例である。
ガイドレール１６１が、本発明の「バッテリ係合部」に対応する構成の一例である。
【符号の説明】
【００５６】
１００  ハンマドリル
１０１  本体部
１０３  モータハウジング
１０５  ギアハウジング
１０７  サポート部材
１０９  ハンドグリップ
１０９Ａ  グリップ部
１１０  電動モータ
１１９  ハンマビット
１２０  運動変換機構
１４０  打撃要素
１５０  動力伝達機構
１５９  ツールホルダ
１６０  装着部
１６０Ａ  バッテリ装着部
１６０Ｂ  バッテリ装着部
１６１  ガイドレール
１７０Ａ  バッテリパック
１７０Ｂ  バッテリパック
１７１  バッテリケース
１７３  装着ガイド
１７５  フック
１７７  押しボタン
１７９  ターミナル
【図１】
2014148012.tif 000003
【図２】
2014148012.tif 000004
【図３】
2014148012.tif 000005
【図４】
2014148012.tif 000006
【図５】
2014148012.tif 000007
【図６】
2014148012.tif 000008
【図７】
2014148012.tif 000009
【図８】
2014148012.tif 000010
【図９】
2014148012.tif 000011
【図１０】
2014148012.tif 000012